(57)【要約】【課題】自力で逆さ吊りして血流を変え、身体を牽伸させて、足のむくみや、腰、膝などの痛みを身体内部から改善し、リラックス効果も併せ得る、折り畳み可能で簡易な装置を提供する。【解決手段】上半身載置板と下半身載置板を直板状に連結した表面側に中折れ自在の基台に、駆動脚部を設けた逆さ吊り身体牽引機である。上半身載置板の一端両脇に把手を備え、下半身載置板の一端に足首保持部を備えている。駆動脚部は、上半身載置板の両脇と２つの車輪を２本の第１の支持桿の両端部でそれぞれ軸着し、かつ、下半身載置板の両脇と各車輪を２本の第２の支持桿の両端部でそれぞれ軸着、連結したものである。基台上に身体を上向きに折り曲げて載せ、上半身と下半身を真直ぐ伸ばすことにより、基台上に傾斜逆さ吊り状態で保持しうるように構成した。【選択図】  図５
2004174105.tif 000002
【特許請求の範囲】
【請求項１】
左手用と右手用の把手を備えた上半身載置基材と一端に足首保持部を備えた下半身載置基材とを身体を載置しうるように連結した表面側に中折れ自在の基台に、上半身載置基材と下半身載置基材の駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機。
【請求項２】
左手用と右手用の把手を備えた上半身載置基材と一端に足首保持部を備えた下半身載置基材とを身体を載置しうるように連結した表面側に中折れ自在の基台に、上半身載置基材と２つの車輪を２本の第１の支持桿の両端部でそれぞれ軸支、軸着し且つ下半身載置基材と前記の各車輪を２本の第２の支持桿の両端部でそれぞれ軸支、軸着して連結した駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機。
【請求項３】
一端近傍の両脇にそれぞれ把手を備えた上半身載置板と一端に足首保持部を備えた下半身載置板とをそれぞれの他端同士で軸着して身体を板上に載置しうるように連結した表面側に中折れ自在の基台に、上半身載置板の両脇と２つの車輪を２本の第１の支持桿の両端部でそれぞれ軸着し且つ下半身載置板の両脇と前記の各車輪を２本の第２の支持桿の両端部でそれぞれ軸着して連結した駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機。
【請求項４】
上半身載置基材と下半身載置基材との軸着、連結部に、又は、上半身載置板と下半身載置板との軸着、連結部に、伸展基台の係止装置を更に設けてなる、請求項１〜３のいずれか一項に記載の逆さ吊り身体牽引機。
【発明の詳細な説明】
【０００１】
【発明の属する技術分野】
本発明は、身体を傾斜した逆さ吊り状態で牽伸し、身体各部の痛みなどを和らげて体調を整える簡易な装置に関する。
【０００２】
【従来の技術】
逆立ち運動は、血行を逆流させて体調を改善すると共に、リラックスにも効果があることが古くから広く知られている。
この逆立ちの効果を目的とする各種の装置はこれまで数多く提案されている。
例えば、従来の血流促進逆吊装置は、脚支柱に対し、油圧式リニアアクチュエータ等の駆動手段を介して支持板を回転自在に設置し、支持板に、上半身支持ベッドを摺動可能に設置するとともに、足首固定パッドを設けたものである（特許文献１参照。）。
【０００３】
また、ぶら下がりによって身体を牽伸させることにより、体調を整え、リラックス効果が得られることも広く知られている。
この身体牽伸による効果を目的とする装置もこれまで数多く提案されている。
例えば、従来の身体牽伸機は、水平基台上で、足掛片に足首を引っ掛け、基台の裏から回したロープに密着した握杆を両手で牽引して、身体を牽伸する装置である（特許文献２参照。）。
【０００４】
【特許文献１】
特開平１１−９６３０号公報
【特許文献２】
実開昭６２−６１２５８号公報
【０００５】
【発明が解決しようとする課題】
しかしながら、従来公知の特開平１１−９６３０号公報（特許文献１）などの血流促進逆吊装置は、油圧式リニアアクチュエーター等の駆動手段などを使用しているため、構造が複雑で重く、広い場所が必要であるといった問題があり、高価でもある。
【０００６】
また、従来の実開昭６２−６１２５８号公報（特許文献２）などの身体牽伸機では、血行を逆流させて身体の内部から体調を改善するという効果は得られない。
【０００７】
本発明は、自力で逆さ吊りして血流を変えると共に身体を牽伸させることにより、足のむくみや、腰、膝などの痛みなどを身体の内部から改善し、リラックス効果も併せ得られる、折り畳み可能で簡易な装置を提供することを目的とする。
【０００８】
【課題を解決するための手段】
前記目的を達成するために、本発明は、左手用と右手用の把手を備えた上半身載置基材と一端に足首保持部を備えた下半身載置基材とを身体を載置しうるように連結した表面側に中折れ自在の基台に、上半身載置基材と下半身載置基材の駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機である。
【０００９】
また本発明は、左手用と右手用の把手を備えた上半身載置基材と一端に足首保持部を備えた下半身載置基材とを身体を載置しうるように連結した表面側に中折れ自在の基台に、上半身載置基材と２つの車輪を２本の第１の支持桿の両端部でそれぞれ軸支、軸着し且つ下半身載置基材と前記の各車輪を２本の第２の支持桿の両端部でそれぞれ軸支、軸着して連結した駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機である。
【００１０】
更に本発明は、一端近傍の両脇にそれぞれ把手を備えた上半身載置板と一端に足首保持部を備えた下半身載置板とをそれぞれの他端同士で軸着して身体を板上に載置しうるように連結した表面側に中折れ自在の基台に、上半身載置板の両脇と２つの車輪を２本の第１の支持桿の両端部でそれぞれ軸着し且つ下半身載置板の両脇と前記の各車輪を２本の第２の支持桿の両端部でそれぞれ軸着して連結した駆動脚部を設けて、表面側に中折れした基台上に上半身と下半身を上向きに折り曲げて載置し、足首保持部に足首を保持した下半身と把手を両手で把持した上半身とを把手を起点として真直ぐ伸ばすことにより、身体を傾斜状の基台上に傾斜した逆さ吊り状態で保持しうるように構成したこと、を特徴とする逆さ吊り身体牽引機である。
【００１１】
また更に本発明は、上半身載置基材と下半身載置基材との軸着、連結部に、又は、上半身載置板と下半身載置板との軸着、連結部に、伸展基台の係止装置を更に設けてなる、前記の各逆さ吊り身体牽引機である。
【００１２】
【発明の実施の形態】
以下、本発明の実施の形態を図面に基づいて説明する。
図１は、本発明の一実施例の逆さ吊り身体牽引機の斜視図である。図２は、図１における伸展基台の係止装置の作用、機構を説明する一部分解斜視図である。
【００１３】
図１に示す本発明の一実施例の逆さ吊り身体牽引機は、基本的に、上半身載置板５と下半身載置板６とを軸着して身体を板上に載置しうるように連結した基台１に、駆動脚部２が設けられた構成である。下半身載置板６の先端には足首保持部３が設けられており、上半身載置板５と下半身載置板６とには両板を伸展させたままで係止或いはそれを解除する装置（伸展基台の係止装置）４が設けられている。
【００１４】
上半身載置板５の一端（すなわち人体の頭部が載置される先端側）の近傍の両脇にはそれぞれ、右手用と左手用の把手７ａ、７ｂが設けられており、２つの把手７ａ、７ｂを両手で握って起点として力を加減して基台１上の上向きの身体を屈伸させる。
【００１５】
下半身載置板６の一端（すなわち人体の足首部が固定される先端側）には、足首保持部３が設けられている。
足首保持部３は、踵止め８をサンダル底板９上に垂直に設けたもの（サンダル）を２個並列に並べて、サンダル底板９の側面中央部で、下半身載置板６先端にその延長方向に固設された２本の支桿１２ａ、１２ｂの先端に回動自在に軸支された構造である。踵止め８には、踵の負担を軽減するためクッション材が設けられている。また、サンダル底板９上には、足（のゆび）のつぼ押しやすべり止めのための突起１１が複数設けられている。踵止め８は、足の着脱が容易に行えるように、サンダル底板９に対して自由に角度を変えられるようサンダル底板９に軸支された構造であることが好ましい。サンダルは、足の甲を挿入することができるように、サンダル底板９の側端の一部から他の側端の一部にサンダルベルト１０を掛け渡したものである。４３ａ、４３ｂはガイドである。
【００１６】
上半身載置板５の他端（すなわち把手設置側の反対側先端）と下半身載置板６の他端（すなわち足首保持部設置側の反対側先端）とはヒンジ１３ａ、１３ｂにより表面側にのみ回動自在に軸着されて、表面側に中折れ可能な基台１が形成されている。すなわち、上半身載置板５と下半身載置板６は一枚の板状に連結されて基台１となり、人間の身体を載置することができることになる。但し、本実施例においては、基台１は裏面側にもわずかな角度（例えば水平から１０度以内）屈折できるように、上半身載置板５と下半身載置板６が水平となったとき、上半身載置板５の他端と下半身載置板６の他端との軸着、連結部１４にわずかな空隙が設けられている。
【００１７】
上半身載置板５の中ほどの側面には第１の支持桿１５ａの一端が軸着され、この支持桿１５ａの他端には車輪１７ａと第２の支持桿１６ａの一端が軸着され、更に、この支持桿１６ａの他端は下半身載置板６の（上半身載置板５の前記側面と同じ側の）中ほどの側面に軸着されている。上半身載置板５と下半身載置板６の反対側の側面にも、前記と同様に、第１の支持桿１５ｂと車輪１７ｂと第２の支持桿１６ｂが軸着されており、更に、補強のため第２の支持桿同士（１６ａと１６ｂ）は補強材１８により連結されて、駆動脚部２が形成されている。側面から見ると駆動脚部２は、上半身載置板５と下半身載置板６が傾斜直板状（すなわち基台１が傾斜した直線状）となったときには、基台１を第１の支持桿１５ａと第２の支持桿１６ａとにより車輪１７ａを一つの頂点とする三角形を形成する構造である。第１の支持桿１５ａ、１５ｂと第２の支持桿１６ａ、１６ｂの長さはそれぞれ上半身載置板５又は下半身載置板６の側面軸着部からそれぞれの板の他端（すなわち軸着、連結部１４）までの長さより長いため、上半身載置板５と下半身載置板６とを伸展させて直板状の基台１としたときには、基台１は第１の支持桿１５ａ、１５ｂと第２の支持桿１６ａ、１６ｂの長さに応じて傾斜状となる。
４２ａ、４２ｂは上半身載置板５の脚である。この場合、基台１を希望する角度の傾斜状とするためには、脚４２ａ、４２ｂの長さに応じて第１の支持桿１５ａ、１５ｂと第２の支持桿１６ａ、１６ｂを適当に長くすればよい。
【００１８】
図２に示す伸展基台の係止装置４は、上半身載置板５と下半身載置板６とを傾斜直板状（傾斜した一直線上）に伸展させたときにこれらの軸着、連結部１４で傾斜直板状態で係止させ、またその係止を解除する装置であり、上半身載置板５の裏面他端（すなわち軸着、連結部１４側の裏面）に固設されたベース材上の先端凸部１９を常に基台側に押圧する第１のバネ機構２０と、下半身載置板６の裏面他端（すなわち軸着、連結部１４側の裏面）に固設されたベース材上の凹部２３と前記凸部１９の離脱用突起２４とからなる。凹部２３は、突起２４に接してこれより他端側（すなわち足首保持部側）に設けられている。凸部１９の根元側は、前記凹部２３に嵌入したときに容易に離脱しないように、９０度より鋭角の係止エッジとなっている。凸部１９の基台側の根元には、その鋭角の係止エッジを覆う離脱用カバー２１と、これを作動させる（すなわち、離脱用カバー２１を常に凸部１９の係止エッジに押圧する）第２のバネ機構２２が設けられている。２６は第１のバネ機構２０のカバーである。
【００１９】
図３は、伸展基台の係止装置の他の態様を示す。
図３に示す伸展基台の係止装置４′は、下半身載置板６の他端側面（すなわち軸着、連結部１４側の端部側面）に固設されたカバー部材３５の外側に更に固設された切り込み係止部２７と、上半身載置板５の他端側面（すなわち軸着、連結部１４側の端部側面）に前記カバー部材３５を介して軸支された回動係止突起３０と、この回動係止突起３０を前記切り込み係止部２７に係留するように常に押圧しているバネ機構３２と、このバネ機構３２による回動係止突起３０の押圧とは反対の力を付与するワイヤー３３に連結したハンドル３４とから構成される。切り込み係止部２７は、上半身載置板側が半円でその半円の下限付近（すなわち下半身載置板６の裏面側）に回動係止突起３０に嵌合して係止される切り込み２８が設けられており、その半円の中心部は軸着、連結部１４の中心に位置する基軸２９となっている。回動係止突起３０は、軸３１を中心として切り込み係止部２７の半円に沿って円運動（回動）をするようにバネ機構３２により押圧されている。バネ機構３２による押圧とは反対の力がハンドル３４に連結されているワイヤー３３により付与され、ハンドル上部を把手７ａ側に傾斜させるとハンドル下部に連結されているワイヤー３３が引っ張られて、バネ機構３２による力とは反対の力が作用し、切り込み２８に嵌合している回動係止突起３０が切り込み２８から外れる。３５′は３５と共にカバー部材をなす。
【００２０】
図４は、伸展基台の係止装置の更に他の態様を示す。
図４に示す伸展基台の係止装置４″は、下半身載置板６の裏面他端（すなわち軸着、連結部１４側の裏面）に固設された凹部３６と、上半身載置板５の裏面他端（すなわち軸着、連結部１４側の裏面）に先端凸部３７を常に基台側に押圧するバネ機構３８と、このバネ機構３８による凸部３７の押圧とは反対の力を付与するワイヤー３９に連結したハンドル４０とから構成される。この凸部３７の根元側は、前記凹部３６に嵌入したときに容易に離脱しないように９０度より鋭角のエッジとなっている。また、この凸部３７は、軸４１を起点としてバネ機構３８により常に基台側に押圧されており、前記凹部３６に嵌入したとき容易に離脱せず、上半身載置板５と下半身載置板６とが直線状に固定されて水平な基台１を形成する。更に、ハンドル４０上部を把手７ａ側に傾斜させると、ハンドル４０下部に連結されているワイヤー３９が引っ張られて、バネ機構３８による押圧とは反対の力が作用し、凹部３６に嵌入している凸部３７が離脱して外れる。
【００２１】
次に、本発明の実施例の逆さ吊り身体牽引機の使用方法について説明する。
まず、図１において、上半身載置板５上に上半身を上向きに横たえ、下半身を下半身載置板６上に上向きに乗せて、足先をサンダルバンド１０中に挿入し、踵を踵止め８に入れ、足首から先を足首保持部３に固定する（図６、７参照）。
次に、両手で把手７ａ、７ｂを握って起点として身体を真直ぐにするように力を入れると、それにつれて駆動脚部２の車輪１７ａ、１７ｂが回り、第一の支持桿１５ａ、１５ｂと第２の支持桿１６ａ、１６ｂとの間の角度が大きくなって、上半身載置板５と下半身載置板６が直線状になるように伸展し、基台１が傾斜直板状となる。更に力を入れると、上半身載置板５と下半身載置板６の軸着、連結部１４に空隙があるため、駆動脚部２が前記と同じように更に作動して基台１の中央部（ヒンジ１３ａ、１３ｂ付近）がわずかに高くなり（すなわち基台１がわずかに反って）、上半身載置板５の裏面他端の（伸展基台の係止装置４の）先端凸部１９が下半身載置板６の裏面他端の凹部２３に嵌入し、基台１が傾斜直板状態のまま固定される（図５参照）。この際、凸部１９が凹部２３に近づき、離脱用カバー２１が凹部枠材２５の角に接触すると、離脱用カバー２１の先端は、凸部１９より基台１側に出っ張っているため、離脱用カバー２１の先端が枠材２５の角に引っ掛って軸着、連結部１４の空隙内に係留される。
身体の逆さ吊り牽引が終了したときは、両手で把手７ａ、７ｂを握って起点として身体を伸ばすように力を入れると、駆動脚部が前記と同じように作動して基台１の中央部（ヒンジ１３ａ、１３ｂ近辺）がわずかに高くなり（すなわち基台１がわずかに反って）、軸着、連結部１４の空隙が狭くなり、伸展基台の係止装置４の（凹部２３に嵌入している）凸部１９が離脱用突部２４に向って移動する。凸部１９が離脱用突部２４に接触すると、凸部１９はその斜面に沿って移動して基台１から次第に離れるため、離脱用カバー２１の先端も凹部枠材２５の角から外れて、離脱用カバー２１が凸部１９の根元側の（鋭角の）係止エッジを覆い、凸部１９が再び凹部２３に嵌入しても容易に凹部２３から離脱することになる。次いで、身体を伸ばすのを止めると、身体の重みで駆動脚部２の車輪１７ａ、１７ｂが回って、第１の支持桿１５ａ、１５ｂと第２の支持桿１６ａ、１６ｂとの間の角度がせばまり、基台１が軸着、連結部１４で表面側に中折れして、上半身載置板５は水平状態となり、下半身載置板６はそれに対してほぼ垂直となる（図１参照）。
足首保持部３から足首を抜いて、基台１から下り、逆さ吊り身体牽引機の使用を終了する。
【００２２】
図６は、本発明における足首保持部３への足の挿入、固定の仕方を説明する図面（側断面図）であり、（ａ）はサンダルベルト１０に足を挿入した状態を示し、（ｂ）は踵を踵止め８によって固定した状態を示す。
図７は、他の態様の足首保持部による足の挿入、固定の仕方を説明する図面（側断面図）であり、（ａ）はサンダルベルト１０に足を挿入した状態を示し、（ｂ）は踵を踵止め８によって固定した状態を示す。
【００２３】
【発明の効果】
以上説明した通り、本発明により初めて、自力で逆さ吊りして血流を変えると共に身体を牽伸させることにより、足のむくみや、腰、膝などの痛みなどを身体の内部から改善し、リラックス効果も併せ得られる、折り畳み可能で簡易な装置を提供することが可能となった。
【図面の簡単な説明】
【図１】本発明の一実施例の逆さ吊り身体牽引機の斜視図である。
【図２】伸展基台の係止装置の作用、機構を説明する一部分解斜視図である。
【図３】伸展基台の係止装置の他の態様の作用、機構を説明する一部分解斜視図である。
【図４】伸展基台の係止装置の更に他の態様の作用、機構を説明する斜視図である。
【図５】本発明の一実施例の逆さ吊り身体牽引機の使用状態を示す斜視図である。
【図６】本発明における足首保持部への足の挿入、固定の仕方を説明する図面（側断面図）である。
【図７】本発明における他の態様の足首保持部による足の挿入、固定の仕方を説明する図面（側断面図）である。
【符号の説明】
１  基台
２  駆動脚部
３  足首保持部
４  ４′、４″  伸展基台の係止装置
５  上半身載置板
６  下半身載置板
７ａ、７ｂ  把手
８  踵止め
９  サンダル底板
１０  サンダルベルト
１３ａ、１３ｂ  ヒンジ
１４  軸着、連結部
１５ａ、１５ｂ  第１の支持桿
１６ａ、１６ｂ  第２の支持桿
１７ａ、１７ｂ  車輪
１９  （伸展基台の係止装置の先端）凸部
２１  （伸展基台の係止装置の）離脱用カバー
２３  （伸展基台の係止装置の）凹部
２４  （伸展基台の係止装置の）離脱用突部
【図１】
2004174105.tif 000003
【図２】
2004174105.tif 000004
【図３】
2004174105.tif 000005
【図４】
2004174105.tif 000006
【図５】
2004174105.tif 000007
【図６】
2004174105.tif 000008
【図７】
2004174105.tif 000009